(57)【要約】【解決手段】この発明は個別識別手段を備える物品、特に包装体に関する。さらに、この発明は物品、特に包装体を個別に識別して確認する方法と装置に関する。  標識手段が物品、特に包装体に固有の任意識別手段であることを特徴とするこの発明による包装体によって、偽造阻止性が従来の包装体に比べて向上され、しかも極めて僅かな費用により向上されるので、包装体の費用が公知の包装体に比べてより僅かである。識別確認方法と装置は、対応して同様に簡単で、有効に、確実である。
2006505822.tif 000002
【特許請求の範囲】
【請求項１】
確認するための個別標識手段（１４）を備える物品において、個別標識手段（１４）は物品に固有の任意識別手段（１５）であることを特徴とする物品。
【請求項２】
物品は包装体（１０）であることを特徴とする請求項１に記載の物品。
【請求項３】
任意識別手段（１５）は包装体（１０）を構成する構成部材であることを特徴とする請求項１或いは請求項２に記載の物品。
【請求項４】
任意識別手段（１５）は少なくとも一つの任意パターンから形成されることを特徴とする請求項１乃至請求項３のいずれか一項に記載の物品。
【請求項５】
任意パターンは発光物質（１６）の分布から構成されることを特徴とする請求項４に記載の物品。
【請求項６】
任意パターンに加えて任意パターンから生成された識別印（２３）が包装体（１０）の上に或いは面に配置されていることを特徴とする請求項４或いは請求項５に記載の物品。
【請求項７】
分布が検出でき、選択的に符号化或いは符号化されていない識別印（２３）として及び／又は包装体（１０）の上の印刷としてデータバンク（４３）に保存されることができる請求項５或いは請求項６に記載の物品。
【請求項８】
任意パターン及び／又は識別印（２３）に加えて符号化手段（１７）、特に連続数字（１８）が取り付けられることを特徴とする請求項７に記載の物品。
【請求項９】
符号化手段（１７）は標識手段（１４）に対して所定の再現可能な関係にあることを特徴とする請求項８に記載の物品。
【請求項１０】
符号化手段（１７）と標識手段（１４）は互いに相関関係にあることを特徴とする請求項８或いは請求項９に記載の物品。
【請求項１１】
相関関係はメモリーによって形成されていることを特徴とする請求項１０に記載の物品。
【請求項１２】
相関関係は符号化機能によって形成されていることを特徴とする請求項１０或いは請求項１１に記載の物品。
【請求項１３】
任意識別手段（１５）は包装体（１０）自体の一体的構成部材であることを特徴とする請求項１乃至請求項１２のいずれか一項に記載の物品。
【請求項１４】
任意識別手段（１５）は包装体全体（１０）に或いは包装体（１０）の所定領域に選択的に配置されていることを特徴とする請求項１乃至請求項１３のいずれか一項に記載の物品。
【請求項１５】
包装体（１０）は主要包装体（３２）及び／又は補助包装体（３８）及び／又は第三包装体から構成されていることを特徴とする請求項１乃至請求項１４のいずれか一項に記載の物品。
【請求項１６】
符号化手段（１７）及び／又は標識手段（１４）及び／又は識別印（２３）は、それらが外部から明らかに識別されることができるように、主要包装体（３２）及び／又は補助包装体（３８）及び／又は第三包装体に配置されていることを特徴とする請求項１５に記載の物品。
【請求項１７】
識別印（２３）は少なくとも補助包装体（３８）上に連結数字（３９）として形成されており、連結数字（３９）は符号化手段（１７）、及び／又は主要包装体（３２）の標識手段（１４）及び／又は識別体（２３）から生成されることができることを特徴とする請求項１６に記載の物品。
【請求項１８】
任意パターンは包装体の隙間幅及び／又は重なり領域及び／又は連結面の接触領域（２９）及び／又は連結継目（２５）及び／又は連結継目の波形パターン（２８）及び／又は折り目（３０）及び／又は切断辺などであることができることを特徴とする請求項３乃至１７のいずれか一項に記載の物品。
【請求項１９】
標識手段（１４）を備える物品、特に包装体（１０）を個別に識別する方法において、  ・標識手段（１４）として物品、特に包装体（１０）に固有の任意識別手段（１５）を検出し、
・任意識別手段（１５）を個別識別印（２３）に変換し、そして
・データバンク（４３）のデータ記録として及び／又は物品、特に包装体（１０）上に印刷として個別識別印（２３）を設置させる工程から成ることを特徴とする方法。
【請求項２０】
包装体は印を付けられており、包装体（１０）は標識手段（１４）として包装体（１０）に固有の任意識別手段（１５）、好ましくは発光物質（１６）製の任意パターンを備えていることを特徴とする請求項１９に記載の方法。
【請求項２１】
適切な数学的関数によって変換が行われることを特徴とする請求項１９或いは請求項２０に記載の方法。
【請求項２２】
識別印（２３）は包装体（１０）に印刷する前に或いはデータバンクに保存する前に符号化されていることを特徴とする請求項１９乃至請求項２１のいずれか一項に記載の方法。
【請求項２３】
識別印（２３）はデータバンク（４３）に保存する前に圧縮されることを特徴とする請求項１９乃至請求項２２のいずれか一項に記載の方法。
【請求項２４】
任意識別手段（１５）は光学的に検出されることを特徴とする請求項１９乃至請求項２３のいずれか一項に記載の方法。
【請求項２５】
発光物質（１６）の任意分布は、任意識別手段（１５）として紫外線光によって可視でき、数字的に符号化され且つ記憶されることを特徴とする請求項１９乃至請求項２４のいずれか一項に記載の方法。
【請求項２６】
包装体（１０）は追加的に個別符号化手段（１７）、特に連続数字（１８）を備えていることを特徴とする請求項１９乃至請求項２５のいずれか一項に記載の方法。
【請求項２７】
少なくとも標識手段（１４）と符号化手段（１７）はデータペアに結合され、予定の再現可能な基準関係に互いに設置されることを特徴とする請求項２６に記載の方法。
【請求項２８】
データペアはそれぞれに互いに相関され、データバンク（４３）に入力されることを特徴とする請求項２７に記載の方法。
【請求項２９】
包装体（１０）に符号化手段（１７）及び／又は標識手段（１４）及び／又は識別印（２３）を備えることは選択的にオンライン或いはオフラインで行われることを特徴とする請求項２６乃至２８のいずれか一項に記載の方法。
【請求項３０】
標識手段（１４）、符号化手段（１７）及び識別印（２３）は、選択的に主要包装体（３２）及び／又は補助包装体（３８）及び／又は第三包装体に塗布される、或いはそれらの一つに取り付けられることを特徴とする請求項２６乃至２９のいずれか一項に記載の方法。
【請求項３１】
標識手段（１４）の検出と評価によって個別標識手段（１４）を備えている物品、特に包装体（１０）を確認する方法において、
・標識手段（１４）として物品、特に包装体（１０）に固有の任意識別手段（１５）を検出し、
・任意識別手段（１５）を個別識別印（２３）に変換し、そして
・物品、特に包装体（１０）上の識別印（２３）の印刷、及び／又はデータバンク（４３）に入力され且つ識別印（２３）を含有するデータ記録と識別印（２３）を整合させる工程からなることを特徴とする方法。
【請求項３２】
任意識別手段（１５）は紫外線スペクトル範囲内の光による照射によって可視できて光学的に検出されることを特徴とする請求項３１に記載の方法。
【請求項３３】
変換は適切な数学的関数によって行われることを特徴とする請求項３１或いは請求項３２に記載の方法。
【請求項３４】
任意識別手段（１５）は走査されていて、連動識別印（２３）は走査情報から求められ、包装体（１０）に塗布された印刷及び／又はデータバンク（４３）に保存されたデータ記録と比較されることを特徴とする請求項３１乃至３３のいずれか一項に記載の方法。
【請求項３５】
さらに、包装体（１０）に配置された符号化手段（１７）、特に連続数字（１８）が検出されることを特徴とする請求項３１乃至３４のいずれか一項に記載の方法。
【請求項３６】
符号化手段（１７）と標識手段（１４）から形成されるデータペアは、検出された情報から形成され、データバンク（４３）に入力されたデータペアと比較されることを特徴とする請求項３５に記載の方法。
【請求項３７】
個別標識手段（１４）により物品、特に包装体（１０）を個別に識別する装置において少なくとも一つの物品、特に包装体（１０）に個有の標識手段（１４）としての識別手段（１５）を検出する手段（４１）、識別手段（１５）から識別印（２３）を生成して表示するか或いは出力する手段（４２）と識別印（２３）を入力する或いは設置する手段が設けられていることを特徴とする装置。
【請求項３８】
さらに、任意識別手段（１５）を塗布する手段が設けられていることを特徴とする請求項３７に記載の装置。
【請求項３９】
設置手段は印刷機（４５）或いはそれと同様なもの及び／又は記憶手段、特にデータバンク（４３）を包含することを特徴とする請求項３７或いは請求項３８に記載の装置。
【請求項４０】
さらに、符号化手段（１７）を塗布する手段が設けられ、符号化手段（１７）の塗布手段は識別印（２３）を印刷する印刷機（４５）と同じであることを特徴とする請求項３７乃至３９のいずれか一項に記載の装置。
【請求項４１】
さらに、識別印（２３）を符号化する手段（４４）が設けられていることを特徴とする請求項３７乃至４０のいずれか一項に記載の装置。
【請求項４２】
装置（４０）のすべての手段（４１，４２，４３，４４，４５）は互いに作用接続されていて、このためにこれら手段（４１ー４５）は好ましくは互いに連結されていることを特徴とする請求項３７乃至４１のいずれか一項に記載の装置。
【請求項４３】
個別標識手段（１４）を備える物品、特に包装体（１０）を確認する装置において、少なくとも一つの物品、特に包装体（１０）に個有の標識手段（１４）としての任意識別手段（１５）を検出する手段（４１）と、識別手段（１５）から識別印（２３）を生成して表示するか或いは出力する手段（４２）とが設けられていることを特徴とする装置。  
【請求項４４】
手段（４１）は紫外線光を射出して且つ可視できる情報を取り上げるように形成されていることを特徴とする請求項４３に記載の装置。
【請求項４５】
さらに、手段（４１）が包装体（１０）に位置した情報、特に識別印（２３）と符号化手段（１７）を検出するように形成されていることを特徴とする請求項４３或いは請求項４４に記載の装置。
【請求項４６】
手段（４２）は任意識別手段（１５）を識別印（２３）に変換できるために数学的関数を実施するように形成されることを特徴とする請求項４３乃至４５のいずれか一項に記載の装置。
【請求項４７】
さらに、識別印（２３）を解読する手段（４３）が設けられていることを特徴とする請求項４３乃至４６のいずれか一項に記載の装置。
【請求項４８】
手段（４１，４２，４４）は記憶手段、特にデータバンク（４３）に接続されていることを特徴とする請求項４５或いは請求項４６に記載の装置。
【請求項４９】
すべての手段（４１ー４４）は互いに作用接続されており、この場合に手段（４１ー４４）は好ましくは重なり合って連結されていることを特徴とする請求項４７に記載の装置。
【請求項５０】
装置（４０）は可搬式手持ち装置として形成されていることを特徴とする請求項４３乃至４９のいずれか一項に記載の装置。
【発明の詳細な説明】
【技術分野】
【０００１】
この発明は、確認するための個別標識手段を備えている物品に関する。さらに、この発明は、個別標識手段をもつ物品、特に包装体を個別に識別する並びに個別標識手段を備えている物品、特に包装体をその標識手段の検出と評価によって確認する方法に関する。この発明は、更に、個別標識手段をもつ物品、特に包装体を個別に識別する並びに個別標識手段を備えている物品、特に包装体を確認する装置に関する。
【背景技術】
【０００２】
物品、特に包装体は、しばしば個別標識手段を備えている。標識手段は、物品、特に包装体の真性や出所を確認するのに用いられる。この確認は、多くの場合に、例えば一方では原包装体内の偽造商品或いは偽造製品を識別し、他方では販路を監視することができるために重要である。包装体の識別と確認は多くの異なる分野において特別に重要である。特に煙草産業並びに製薬及び化粧産業において模造は製造企業にとって著しい経済的損失並びに事情によっては消費者の健康危機を引き起こす。
【０００３】
それ故に、確認とそれによる権利を有する製造業者への帰属或いは販路の管理を可能とするために、包装体に種々の標識或いは安全体制を備えることは公知で普通のことである。この標識は例えば包装体に符号をつけることによって行われる。この符号は例えば符号化された或いは符号化されていない要素、例えば数字、文字或いは他の要素から成る。バーコード、ホログラムや、例えば磁気テープ、メモリーチップなどのような記憶媒体はほんの若干の公知の標識手段である。    
【０００４】
しかしながら、あらゆる従来の包装体並びに包装体を識別して確認する方法と装置は、普通には、一方では製造や取り扱いに費用がかかり、他方では模造に対して十分な安全策を提供しないと言う欠点である。一義的で明らかな識別或いは確認が不可能である。それは難なく包装体周囲に取り付けられることができ、例えばバーコードのような標識が包囲され、模造される、或いは偽造されることがでることによって、公知の方法と装置が操作できるから、その包装体の原出所が裏付けることができない。すべての公知の包装体は、通常には前もって定義された標識手段の取付けによって識別される。それにより、一方では、標識の費用が高く、それは安全性の向上割合により製造において費用の上昇をまねく。他方では、確認のために、著しい費用が必要である。
【特許文献１】米国特許出願公開第２００１−１０３３２号明細書
【特許文献２】英国特許出願公開第２３２４０６５号明細書
【特許文献３】英国特許出願公開第１４４８１５３号明細書
【発明の開示】
【発明が解決しようとする課題】
【０００５】
それ故に、この発明の課題は、簡単に識別して確認して特に偽造を阻止する物品を提供することである。さらに、この発明の課題は、簡単に且つ原価の安く、特に高い偽造阻止性を保障する物品、特に包装体を識別して確認する方法を提供することである。この発明の別の課題は、原価の安く、簡単に取り扱いできて、安全である物品、特に包装体を識別して確認する装置を提供することである。
【課題を解決するための手段】
【０００６】
この課題は、一方では、前記種類の物品により、標識手段が物品に固有の任意識別手段であることによって解決される。好ましくは、物品は包装体である。それによって公知の包装体に対する偽造阻止性が向上される、と言うのは任意識別手段が比較して形成される識別手段を模造する、或いは偽造することがより難しいからである。他方では、各包装体の任意識別手段が固有であり、特に作用有効で一義的に難なく包装体に存在する識別手段であることによって創作される。製造条件は包装体が他の包装体と同じではないので、追加費用なしに包装体の固有の製造によってのみ条件的に任意の一回限りでそれにより特に偽造が難しい標識手段が創作される。言い換えると、各包装体はその固有の個別標識手段である。
【発明の効果】
【０００７】
この発明の有益な展開において、任意識別手段は包装体を構成する構成部材である。包装体に適用する、或いは取付ける前に選択される公知の標識手段とは違って、この発明の任意識別手段は包装体自体の形成により初めて作られるので、特に有効な偽造阻止性が存在する。複写されて偽造包装体に貼り付けるできる例えば包装体に貼り付けるラベルとは違って、任意識別手段は包装体を形成する構成部材として誰もが前もって見ることができなく、それ故に複写することができない。
【０００８】
好都合には、任意識別手段は少なくとも一つの任意パターンから構成されており、この場合にこの任意パターンは発光物質の分布から形成されている。この技術的偽造障害物は、包装体の安全に且つ特に容易に任意に取付け、貼付け及び／又は挿入可能な識別確認を可能とし、それにより非常に偽造を阻止でき、簡単に、特に機械的に読取りできることを備えている。この包装体の構成は、任意識別手段が通常の状態では見ることができず、特殊な処理によって初めて見ることができる、それにより偽造の際に追加的障害物が存在すると言う特別な利点を有する。それにより通常には、包装体の視覚的損傷が防止されることができる。  
【０００９】
この発明による包装体の更に好ましい実施態様では、任意パターンに加えて、任意パターンから生成された識別印が包装体に配置されている。それにより、一方では、包装体の標識が種々の要素から形成されているから、より高い安全性の割合が達成される。他方では、整合或いは確認がデータバンクなしに行われることができるから、識別印への任意パターンの帰属によって確認が簡略化される。
【００１０】
包装体の構成が特に有益であり、包装体が任意パターン及び／又は識別印に加えて、符号化手段、好ましくは連続数字を備えている。追加的連続数字によって更に向上した安全性の割合が達成される、と言うのは任意パターン、識別印と連続数字は、解読してそれにより模造するのが極めて難しい一つの個別データバンクに結合できるからである。  
【００１１】
好ましくは、任意識別手段が包装体自体の一体的構成部材であるので、簡単な製造が、即ち僅かな費用或いは追加なしの費用により可能であり、標識は通常には模造或いは偽造のためのその標識の認識と解読を必要とし、難なく包装体のそのような標識と見做されない。
【００１２】
この包装体の更に好ましい実施態様では、主包装体及び／又は補助包装体及び／又は第三包装体上の符号化手段及び／又は標識手段及び／又は識別印は、それらは外部から明白に確認できるように配置されている。この場合に、主包装体とは、例えば気泡包装体のように、直接に包装される製品と接触している包装体タイプである。補助包装体は、例えば折り畳み箱のように、所謂包囲する包装体或いは包み紙である。第三包装体として、包囲するボール紙、発送ボール紙、パレットなどを意味する。前記包装体タイプの一つ或いは複数に標識、符号、識別印などの選択的取付け／貼付け／挿入によって、例えば所謂再包装が保護される、と言うのは個々の包装体タイプの互いの帰属が明らかに保証されるからである。
［別の解決手段］        
【００１３】
この課題は、さらに物品、特に包装体を個別に識別する方法により：標識手段として物品、特に包装体に固有の任意識別手段を検出し、任意識別手段を個別識別印に変換し、そして識別印をデータバンクにデータ記録として及び／又は物品、特に包装体上に印刷として保管させる工程から成ることによって解決される。それによって驚くべきほど簡単に且つ有効な方法で包装体の確実な標識が達成される、と言うのは例えばラベル、磁気テープなどのように如何なる安全手段の適用も不必要であるからである。この標識は、簡単に述べると、後からの確認のために識別印に変換されて簡単な形態で保存されなければならない包装体に存在する識別手段に関する措置を包含する。
［別の解決手段の効果］        
【００１４】
別の好ましい実施態様では、包装体は包装体に固有の任意識別手段、特に発光物質製の任意パターンを標識手段として備えている。これは、一方では、任意識別手段が簡単には検出できないと言う利点を有する。他方では、検出と確認が非常に正確に可能であるので、特に高い偽造阻止性と確認比率が達成される。さらに、確認において費用も減少し、それは特に取り扱いを簡略化する。
［更に別の解決手段］        
【００１５】
この課題は、さらに、個別標識手段をもつ物品、特に包装体を確認する方法により：標識手段として物品、特に包装体に固有の任意識別手段を検出し、任意識別手段を個別識別印に変換し、物品、特に包装体上の識別印の印刷、及び／又はデータバンクに入力され且つ識別印を含有するデータ記録と識別印を整合させる工程から成ることによって解決される。その結果、原包装体の信頼でき且つ確実な認識が保証される。
【００１６】
個別標識手段をもつ物品、特に包装体を個別に識別する装置は、標識手段として少なくとも一つの物品、特に包装体に固有の任意識別手段を検出する手段、任意識別手段から識別印を生成して表示する、或いは出力する手段並びに識別印を保管する手段が設けられていることを特徴とし、この課題を同様に解決する。
【００１７】
さらに、この課題は、個別標識手段をもつ包装体を確認する装置により解決され、標識手段として少なくとも一つの包装体に固有の任意識別手段を検出する手段並びに任意識別手段から識別印を生成して表示する、或いは出力する手段が設けられていることを特徴とする。      
【００１８】
包装体と装置並びに有益な方法工程の更に好ましい実施態様は、従属請求項や詳細な説明から明らかになる。特に好ましい例は、添付図面に基づいて詳細に説明される。
【発明を実施するための最良の形態】
【００１９】
すべての示された包装体は、包装体の正確な確認を保証するために形成されている。例として、煙草や固体状、液体状と粉末状薬剤の包装体が示されいる。しかしながら、この発明は、種々の用途分野におけるあらゆる種類の包装体、特に高価で特にしばしば広範囲に偽造された或いは誤魔化された製品が包装されている包装体、例えば電子構成部品或いは化粧製品の包装体に関する。この発明は無論、例えばラベル、書類のような別の物品に或いは例えば交換部品のような製品にも使用できる。
【実施例】
【００２０】
図１には、一つの折畳み箱１１とその折畳み箱１１を包囲する一つの包み紙１２とから形成されている煙草など用の包装体（パッケージ）１０が示される。包装体１０の原の状態では、つまり充填されて閉じられた状態では、包み紙１２は、包装体１０の開放の際に通常には分離されて切断される引裂きテープ１３を備えている。この包装体１０は標識手段１４を備えている。この標識手段１４は、包装体１０の一部領域に配置されている包装体１０に固有の任意識別手段１５である。選択的に、多数の部分領域にも、或いは包装体全体１０にも任意識別手段１５を備えることができる。
【００２１】
図１による実施態様では、この任意識別手段１５は、包装体１０の一つの隅領域に配置されている任意パターンである。この任意パターンは発光物質１６の分布から形成されている。この種の発光物質１６は紫外線スペクトル範囲から成る光（紫外線光）を照射することによって可視できるようになる。しかし任意パターンは別の粒子の分布から形成されることができる。この任意パターンは外部から可視可能に、或いは包装体１０、即ち折畳み箱１１に検出可能に配置されている。発光物質１６は粒子として顔料或いは糸をボール紙などから製造された折畳み箱１１の繊維内に混合されることができる。各任意パターンの位置は好ましくは測定手段、検出手段などのために容易に接近して配置され、しかも包装体１０の前面に配置されている。裏面、側面或いは前面上の他の各位置にも同様に配置可能である。
【００２２】
この任意識別手段１５は、引裂きテープ１３の領域にも配置されている。図２による引裂きテープ１３は、さらに発光物質分布から形成される任意パターンである任意識別手段１５を受ける情報担体として追加的に符号化手段１７、特に連続数字１８を備えている。さらに、この引裂きテープ１３は、バーコード１９及び基準印２０を支持する。この基準印２０は発光物質１６の位置を容易に検出するのに用いられる。この発光物質１６の位置は例えば基準印２０に関しての距離ＸとＹ及び発光物質１６の長さＺ並びに角度ψによって検出されることができる。しかしながら、他の測定量、距離、角度などは、同様に発光物質１６から形成された任意パターンを検出するために考慮されることができる。
【００２３】
別の実施態様では、任意識別手段１５は、包み紙１２に配置されている。この包み紙１２は、通常にはロール商品として予め貯蔵されて統計学的に分布された発光物質１６を混入されている金属箔２１から形成されている。この発光物質１６の密度は変動できるけれども、好ましくは１００ｃｍ2 当たりおよそ２０個の発光物質粒子の密度である。この箔２１は、発光物質１６を散布されることもでき、好ましくは１００ｃｍ2 当たりおよそ２０ー５０個の発光物質斑点の密度を備える。
【００２４】
図４による実施態様では、任意識別手段１５はラベル２２上に形成されている。好ましくは、このラベル２２が着色形成されて、発光物質１６の任意分布を支持する。このラベル２２は折畳み箱１１と包み紙１２の間に或いは外部から包み紙１２に貼り付けることができる。加えて、示された包装体１０は連続数字１８を備えている。この連続数字１８は一方ではインクなどによる簡単な印刷として形成されることができる（図５、上連続数字）。代えて、連続数字１８自体は代用し得る或いは補充する任意識別手段１５の担体に用いられる（図５、下連続数字）。それ故、包装体１０に一つの以上の任意識別手段１５或いは複数の任意パターンを備えることが可能である。
【００２５】
連続数字１８はインクなどに発光物質１６の分布を含有することができる。このために、発光物質１６は混合できない添加物としてインクなどに含有されている。この場合に発光物質１６の分布は、専らインクなどにより印刷された領域に限定される。しかしながら、図示されていない態様では、発光物質１６が連続数字１８の個別文字の傍、上部、下部、間或いはその上に配置されるように、発光物質１６は連続数字１８の領域に配置されることができる。
【００２６】
図４における包装体１０はさらに識別印２３を備えている。この識別印２３は発光物質１６の分布から生成でき、しかも好ましくは、数学的アルゴリズムによって、通常の暗号方法などにより形成される。この識別印２３は、発光物質１６の分布の評価の結果であり、選択的に包装体１０上に解読される或いは解読されない表示で配置されている。図示された実施態様では、識別印２３は解読されない連続数字である。しかしながら、この識別印２３は、文字、画像構成要素、他の文字或いはそれらの組合せからも形成されることができる。
【００２７】
包装体１０の別の実施態様は、証紙２４、特に納税済証紙を有する。この証紙２４は、発光物質１６の分布が証紙２４に任意に塗布されることによって、任意識別手段１５の担体に発光物質１６の位置は、例えばＸとＹ及びψのような定義されたパラメータに基づいて対応する座標系に対して決定できる（図７を参照）。
【００２８】
任意識別手段１５、即ち任意パターンは、包装体１０の製造によって条件付けされて包装体１０のために文字化された測定量である。図９には、例えば任意パターンは包み紙１２の側面継目２５である。この包み紙１２は側面継目２５の形成により重なっている。この任意パターンは製造の際に直接に発生し、包装体１０を明らかに定義する。しかし、例えば側面継目２５の幅ａ或いは正面継目２６の幅ｂのようなパラメータに基づいて、他の距離、角度などは任意パターンを検出するために考慮されることができる。任意パターンの簡略化された検出のために、走査印２７が設けられており、その走査印は特に包み紙１２の下に側面継目２５の領域に配置されている。
【００２９】
しかしながら、任意パターンは包装体１０のフラップカバーの領域における隙間幅である、或いは例えばパラメータｃとｄ及び角度αとβによる切断辺の検出である（例えば図１０を参照）。図１０には、さらに、任意パターンは包み紙１２の結合箇所における波形パターン２８或いは接触面２９の形態で示されている。この波形パターン２８は例えば折り部３０の領域に起こり、各包装体１０のために一回であるので、波形パターン２８の配置と構成が検出でき、任意に識別印２３に変換できる。同じことが接触面２９に適用され、その接触面２９はその領域に気泡３１などを有する。この気泡３１の位置、数と分布は、包装するのに特殊であり、外部から任意パターンとして検出できる。
【００３０】
包装体１０の識別と確認に対する前もって記載された安全手段、即ち任意識別手段１５、符号化手段１７と識別印２３から、少なくとも二つが互いに関係している。好ましくは、符号化手段１７は標識手段１４或いは任意識別手段１５に対して所定の再生可能な関係にある。しかし、他の相反関係も製造できる。その相関関係は例えばメモリーによって及び／又は解読機能によって形成されることができる。このメモリーは包装体１０上に印刷として或いは外部データバンクに形成されることができる。
【００３１】
前もって記載された包装体１０は実質的に二部材で、即ち折畳み箱１１と包み紙１２から成って、形成されている。しかし、一部材或いは多部材の包装体１０、しかし例えば書類、ラベル、挿入部材のような完全な他の物品は、個別標識手段１４、特に任意識別手段１５及び符号化手段１７と識別印２３を備えている。次に、他の包装体タイプが記載され、これら他の包装体タイプにも、識別と確認に関して基本的には既に上記包装体１０に記載された原理が適用される。
【００３２】
図１１−１４には、例えば主包装体３２として形成されている包装体１０が示されている。包装された製品と直接に接触している主包装体３２は、例えば固体物質、特に薬剤（図１１）用のブリスター・パック、粉末状或いは液状物質（図１２）用の匂い袋、又は液状物質（図１３と１４）用の注射器或いは小瓶、フラスコ、カラス瓶、カプセルなどである。図１１−１４に示された全実施態様は、任意識別手段１５、符号化手段１７と識別印２３を備えている。しかしながら、選択的に、個別主包装体３２に安全手段の一つのを備えることが可能である。
【００３３】
図１１におけるブリスター・パックは、製品用の特に熱箔から形成された担体３３及び製品を収容する巣３５を備える担体３３を閉鎖するカバー箔３４を包含する。好ましくは、カバー箔３４に直接に、発光物質１６製の任意パターンは任意識別手段１５として塗布されている。発光物質１６の分布は主包装体３２のパターン領域に制限されている。しかし、選択的に全主包装体３２にわたり分布を拡大することが考慮できる。発光物質１６はラベル３６上に塗布され得て、ラベル３６が任意に自動引裂きして形成されることができる。好ましくはブリスター・パックの縁領域には、符号化手段１７としての連続数字１８及び任意パターンから生成された識別印２３が配置されている。さらに、図１２ー１４に示された主包装体３２は、対応して形成される、或いは特徴付けられている。この主包装体３２は、薬剤の外に例えば化粧品、電子構成部材などのような他の製品のために形成されている。  
【００３４】
図１５には、複数の主要包装体３２と一つの補助包装体３８から形成されている包装ユニット３７が示されている。主要包装体３２は前もってに記載されるように形成されており、この場合に各主要包装体３２は固有の符号化手段１７或いは例えば全生産データを支持する連続数字１８及び任意識別手段１５或いは任意パターンに依存する識別印２３としての発光物質１６の分布を有する。ブリスター・パック、小瓶などが重要であるか否かと無関係に、一つ或いは複数の主要包装体３２は特徴とする形態で補助包装体３８に配置されている。この補助包装体３８は示された実施態様においてボール紙などから成る折畳み箱である。しかしながら、通常の包装材料から成る各他の包囲包装が同様に可能である。
【００３５】
主要包装体３２の標識、つまり任意識別手段１５及び／又は符号化手段１７及び／又は識別印２３は、補助包装体３８の標識との相関関係にある。好ましくは、この補助包装体３８はる連続数字１８及び識別印２３を有し、この識別印２３は所謂連結数字３９として形成されている。この連結数字３９は主要包装体３２の連続数字１８及び／又は識別印２３から生成され、それにより主要包装体３２と補助包装体３８の間の明白な関係を生じる。
【００３６】
一つ或いは複数の補助包装体３８はさらに（図示されていない）第三包装体に配置されることができる。この第三包装体は包み紙、包囲ボール紙、発送ボール紙、輸送或いは展示パレットなどである。この第三包装体はさらに選択的に或いは蓄積的に任意識別手段１５及び／又は符号化手段１７及び／又は識別印２３から成る標識を備えており、第三包装体の標識は主包装体３２及び／又は補助包装体３８の標識と相関関係にある。
【００３７】
図１１と図１５から、さらに包装体１０或いは主要包装体３２と補助包装体３８を識別確認する装置４０が理解される。この識別確認装置４０は実質的に類似に構成されている。理想的には、包装体１０自体或いはその一部が標識手段１４を意味するから、包装体１０（主要包装体３２と補助包装体３８を包含する）を識別する装置４０は本来の意味において全く必要はない。しかしながら、包装体１０の後での確認を保証できるために、包装体１０の少なくとも一つの特殊な情報が採用されるにちがいない。極めて簡単に且つ図示されていない実施態様には、包装体１０を識別する装置４０は単に包装体１０の少なくとも一つの任意パターンを検出する手段、その任意パターンから識別印２３を生成して表示する、或いは出力する手段及び識別印２３を保管する手段から形成されることができる。それにより、第一工程では、包装体１０の簡単な識別が行われ、その識別は後での確認を許容する。確認するための対応する装置４０は、単に識別印２３を設置する、即ち保管する手段を欠くものである。そのほかは、必要な手段が同じである。
【００３８】
すべての種類の物品、特に包装体１０を識別する好ましい装置４０は、実質的に発光物質１６の任意分布によって任意識別手段１５を塗布する（図示されていない）手段を包含する。任意識別手段１５が既にオフラインで包装体１０に必要な材料の製造処理において、例えば折畳み箱１１のボール紙或いは箔２１の製造の際に取付けられる場合には、前記されて図示されていない手段は不必要である。さらに、手段４１として、任意識別手段１５を検出するカメラなどが設けられている。このカメラは、識別印２３を成形する及び識別印２３を圧縮するために検出されたデータを生成する、即ち評価する手段４２に接続されている。さらに、装置４０は任意識別手段１５の評価圧縮された識別印２３を整理する記憶媒体としてのデータバンク４３を包含する。このデータバンク４３は前もって包装体１０に塗布された符号化手段１７或いは連続数字１８を記憶するのに用いられる。このデータバンク４３には、任意識別手段１５の識別印２３は対応する連続数字１８に連動されて新奇なデータペアを形成する。それぞれに同じ任意パターンから、だが異なる精度により生成できる包装体１０上とデータバンク４３の識別印２３は、異なるデータ記録長さを有することができる。
【００３９】
手段４２は任意識別手段１５から識別印２３を生成するように形成され、このために適切なアルゴリズムを有する。手段４２には、識別印２３を暗号化する、つまり符号化して解読するように形成されている別の手段４４が接続されている。この手段４４は印刷機４５などと接続されているので、符号化された或いは符号化されていない識別印２３が包装体１０上に塗布できる。印刷機４５により例えば連続数字１８が包装体１０上に形成される。しかし、この連続数字１８は選択的に別の手段によって形成される。装置４０の全手段４１−４５は、互いに利用されるので、包装体１０の機械的に自動化された識別が保証される。    
【００４０】
包装体１０を確認する装置４０は、実質的に包装体１０を識別する装置４０に一致する。少なくとも、包装体１０に固有の少なくとも一つの任意識別手段１５を検出する手段４１及び任意識別手段１５から識別印２３を生成して表示する、或いは出力する手段４２が設けられている。手段４１は、紫外線光を出力し且つ可視できた情報を受けるように形成されている。しかしながら、選択的にＩＲ光或いは他の波長の光を射出する構成が可視できる、或いは可視できない領域でも可能である。手段４２はさらに追加的に包装体１０にある別の情報、特に識別印２３と連続数字１８を検出するように形成されている。しかしながら、個別情報は、固有の手段、好ましくはカメラによって検出されることができる。手段４２は、任意識別手段１５が識別印２３に変換できるように、数学的関数を実施するために形成されている。追加的に識別印２３を解読する手段４４が設けられている。手段４１、４２、４４によって採用されて生成された情報と整合するために、これら手段がデータバンク４３に接続されていて、そこで読取られた情報との比較を行うことができる。このために、全手段４１−４４は、それらが互いに連結されることによって、互いに作用接続されている。この連結なしに、装置４０は可搬手持ち装置として形成されていて、手段４１、４２、４４は共通ユニットに収納されている。
【００４１】
次に、この識別確認方法は詳細に記載されている：包装体１０、３２、３８は一つの個別任意パターンを備えている。この任意パターン、好ましくは発光物質１６の分布は、全包装体１０、３２、３８にわたり或いはパターン領域に塗布される。この塗布はオフライン或いは好ましくはオンラインで行われる。このオンライン塗布は例えば折畳み箱１１、包み紙１２、担体３３或いはカバー箔３４への直接印刷によって行われる。ラベル２２、３６も印刷されることができる。この場合に、発光物質１６は例えば印刷インクに混合される。しかしながら、発光物質１６は既に包装体１０、３２、３８の材料の製造の際に材料に導入されることができる。
【００４２】
さらに、包装体１０、３２、３８上に一回限りの連続数字１８が印刷されている。この連続数字１８は各包装体１０の毎にデータバンク４３に整理される。包装特殊な任意パターンは手段４１によって検出され、手段４２によって評価されて圧縮され、同様にデータバンク４３に整理される。データバンク４３では、包装体１０、３２、３８の各連続数字１８が圧縮された任意パターンに帰属される。選択的に或いは蓄積的に各包装体１０、３２、３８の任意パターンから生成された識別印２３が同様にデータバンク４３に整理される、或いは印刷機４５によって包装体１０、３２、３８に印刷されることができる。この識別印２３は印刷前に或いは保管前に手段４４によって符号化されることができる。
【００４３】
確認はいわば同じ形式で行われる。包装体１０、３２、３８を確認するために、任意パターンが検出される。これは、例えば一方で、紫外線光或いは他の波長の光を射出するように形成されて発光物質１６を可視でき、そして他方では発光物質１６の分布を受けるのに用いられる。適切なアルゴリズムによって識別印２３が求められる。得られたデータ、即ち任意パターンから求められた識別印２３及び連続数字１８は、包装体１０、３２、３８に或いはデータバンク４３に保管されたデータ記録と比較される。十分な或いはより高い相関関係−データ記録の理想的一致性の場合には、原包装体が重要であることは、確実に呈示されている。その場合に相関関係は検出の確実性の程度である。データ記録の圧縮の場合に情報が失われる。それによってデータ記録の類似性（相関関係）のみが求められることができる。所謂不鮮明な評価が求められる。達成できる精度はデータ記録長さに依存しており、即ち識別印２３が長くなればなるほど、より高い確実性となる。
【００４４】
同様に好ましく挿入されることができ、さらに詳細には記載されていない実施態様では、例えば異なるデータ記録長さを有する二つ或いは多数の識別印２３も任意パターンから生成することが可能である。より短い識別印２３は直接に包装体１０に塗布される一方、ほぼ任意長さであるより長い識別印２３がデータバンク４３に保存される。任意パターンとして顕微鏡的に小さいパターンも粒子、発光物質などの分布から或いは包装体１０自体の繊維から検出されて評価されることができる。
【００４５】
包装ユニット３７の識別と確認では、種々の可能性が生じる。第一例では、手段４１は三つの主包装体３２のデータ、パターンなどを受けて、それから共通の連結数字３９を生成し、その連結数字３９を手段４４により符号化し、連結数字３９を補助包装体３８へ塗布（印刷）する。さらに、連続数字１８は補助包装体３８に塗布される。手段４１によりさらに補助包装体３８のデータ、パターンなどが受けられ、手段４２により識別印２３が生成され、符号化後に手段４４により補助包装体３８に塗布される。
【００４６】
選択的に或いは蓄積的に検出され、生成され且つ符号化されたデータ、パターン、情報などのすべてがデータバンク４３に保存され、包装に所属して互いに関連されている。
【００４７】
確認するために、補助包装体３８のデータ、パターン、情報などが受けられ、識別印２３が生成されて解読され且つ前もって補助包装体３８に或いはデータバンク４３に保存された識別印２３と比較される。連続数字１８の付属は確実性を向上する。補助包装体３８に存在する主包装体３２の帰属を検査するために、補助包装体３８のデータ、パターン、情報などが検出され、生成されて解読され且つ連結数字３９と整合される。
【図面の簡単な説明】
【００４８】
【図１】折畳み箱や包み紙をもつ包装体、即ち箔包み紙をもつ煙草包装体の斜視図を示し、任意識別手段が包装体の一部領域に形成されている。
【図２】連続数字、バーコード、基準印或いは測定印並びに任意パターンを備える図１に図示された包み紙の破れテープを示す。
【図３】図２による断面Ａを拡大して示す。
【図４】任意識別手段並びに連続数字の別の構成をもつ斜視図を示す。
【図５】任意識別手段の別の構成の表現を示す。
【図６】納税済証紙などを備える包装体部分の斜視図を示し、納税済証紙は任意識別手段の一つの別の構成を図示する。
【図７】図６による断面Ｂを拡大して示す。
【図８】包装体用の包み紙、即ち任意識別手段の一つの別の構成を備える箔を示す。
【図９】任意識別手段の一つの別の構成並びに連続数字と識別印を備える包装体の斜視図を示す。
【図１０】任意識別手段の一つの別の構成を備える包装体の平面図を示す。
【図１１】包装体を識別して確認する装置を備える別の包装体、即ち例えば薬剤など用の主包装体を示す。
【図１２】別の主要包装体、即ち匂い袋を示す。
【図１３】別の主要包装体、即ち注射器を示す。
【図１４】別の主要包装体、即ち小瓶などを示す。
【図１５】包装ユニットを識別して確認する装置を備える主要包装体と補助包装体から成る包装ユニットを示す。
【符号の説明】
【００４９】
１０．．．．．包装体（パッケージ）
１１．．．．．折畳み箱
１２．．．．．包み紙
１３．．．．．引裂きテープ
１４．．．．．個別標識手段  
１５．．．．．任意識別手段
１６．．．．．発光物質
１７．．．．．符号化手段
１８．．．．．連続数字
１９．．．．．バーコード
２０．．．．．基準印
２１．．．．．箔
２２．．．．．ラベル
２３．．．．．識別印
２４．．．．．証紙    
２５．．．．．側面継目
２６．．．．．正面継目
２７．．．．．走査印
２８．．．．．波形パターン
２９．．．．．接触面
３０．．．．．折り部
３１．．．．．気泡
３２．．．．．主要包装体
３３．．．．．担体
３４．．．．．カバー箔
３６．．．．．ラベル
３７．．．．．包装ユニット
３８．．．．．補助包装体
３９．．．．．連結数字
４０．．．．．装置
４１−４４．．手段
４５．．．．．印刷機
【図１】
2006505822.tif 000003
【図２】
2006505822.tif 000004
【図３】
2006505822.tif 000005
【図４】
2006505822.tif 000006
【図５】
2006505822.tif 000007
【図６】
2006505822.tif 000008
【図７】
2006505822.tif 000009
【図８】
2006505822.tif 000010
【図９】
2006505822.tif 000011
【図１０】
2006505822.tif 000012
2006505822.tif 000013
2006505822.tif 000014
【図１５】
2006505822.tif 000015
【国際調査報告】
2006505822.tif 000016
2006505822.tif 000017
2006505822.tif 000018
2006505822.tif 000019
2006505822.tif 000020
2006505822.tif 000021